(57)【要約】      （修正有）【課題】容器を積み重ねる場合に水平方向の位置決めが容易にでき、容器が地震等により水平方向にずれようとしても、必ず元の正しい位置に戻る角型密閉容器を提供する。【解決手段】容器本体２４と、蓋部材２６とを備えた角型密閉容器２２において、容器本体の底面の下に、第１方向に伸びると共に、互いに平行に配置された複数の第１桁材３０と、第１桁材の間に、第２方向に伸びると共に、互いに平行に配置された複数の第２桁材３２とを設け、蓋部材の上面に、第２方向に伸びる持手部と、持手部の両端部から蓋部材の上面に向けて伸びる脚部とを有する取手部材３６が取付けられ、容器の上側に同一の別の容器を積み重ねて、上側容器と下側容器の水平方向の位置が揃っている場合は、取手部材は、上側容器の底面に設けられた、第１桁材、かつ、第２桁材の間に配置されると共に、取手部材の脚部は、第１桁材の近傍位置に、持手部は、第２桁材の近傍位置に配置されるようにした。【選択図】図４
0003214380.tif 000002
【実用新案登録請求の範囲】
【請求項１】
上端部に開口部が形成された角型箱形状の容器本体と、
前記容器本体の前記開口部の上に配置されて前記開口部を閉塞する蓋部材と
を備えた角型密閉容器において、
前記容器本体の底面の下に、
前記底面に沿って第１方向に伸びると共に、互いに平行に配置された複数の第１桁材と、
前記底面に沿って複数の前記第１桁材の間に、前記第１方向と交差する第２方向に伸びると共に、互いに平行に配置された複数の第２桁材とを設け、
前記蓋部材の上面に、前記上面に沿って前記第２方向に伸びる持手部と、前記持手部の両端部から前記蓋部材の上面に向けて伸びる脚部とを有する取手部材が取付けられ、
前記角型密閉容器の上側に同一の別の角型密閉容器を積み重ねて、前記上側の角型密閉容器の水平方向の位置と、下側の前記角型密閉容器の水平方向の位置が揃っている場合は、
前記取手部材は、前記上側に積み重ねた角型密閉容器の容器本体の底面の下に設けられた、複数の前記第１桁材の間に配置され、かつ、複数の前記第２桁材の間に配置されると共に、
前記取手部材の前記脚部の前記蓋部材の上面に取付けられる位置が、前記上側に積み重ねた前記角型密閉容器の容器本体の底面に設けられた前記第１桁材の近傍の位置に配置され、
前記取手部材の持手部は、前記上側に積み重ねた角型密閉容器の容器本体の底面に設けられた前記第２桁材の近傍の位置に配置された
ことを特徴とする角型密閉容器。
【請求項２】
前記角型密閉容器の上側に同一の別の角型密閉容器を積み重ねる途中において、前記上側の角型密閉容器の水平方向の位置と、下側の前記角型密閉容器の水平方向の位置がずれている場合は、
前記取手部材は、前記上側に積み重ねた角型密閉容器の容器本体の底面の下に設けられた、複数の前記第１桁材の間に配置され、かつ、複数の前記第２桁材の間に配置されていると同時に、
前記取手部材の前記脚部と前記第１桁材が、いずれか一方に形成された傾斜部と、他方の非傾斜部が互いに接触して摺動することにより、又は／及び、
前記取手部材の前記持手部と前記第２桁材が、いずれか一方に形成された傾斜部と、他方の非傾斜部が互いに接触して摺動することにより、
前記角型密閉容器の前記積み重ね完了時に、前記上側の角型密閉容器の水平方向の位置と、下側の前記角型密閉容器の水平方向の位置が揃った状態に戻って、
前記取手部材の前記脚部の前記蓋部材の上面に取付けられた位置が、前記上側に積み重ねた前記角型密閉容器の容器本体の底面に設けられた前記第１桁材の近傍の位置に配置され、
前記取手部材の持手部は、前記上側に積み重ねた角型密閉容器の容器本体の底面に設けられた前記第２桁材の近傍の位置に配置される
ことを特徴とする請求項１に記載の角型密閉容器。
【請求項３】
前記第１桁材は、所定の長さを有し、その長さ方向に対して垂直な断面が長方形に形成され、
前記第２桁材は、所定の長さを有し、その長さ方向に対して垂直な断面が略９０度に折り曲げたような形状に形成され、
前記取手部材の両端部の前記脚部は、前記第２方向においては前記蓋部材の上面に対してそれぞれが所定の角度ずつ傾斜した略ハの字形状に形成されると共に、前記第１方向においては前記蓋部材の上面に対して傾斜しないで垂直に立設された
ことを特徴とする請求項１又は２に記載の角型密閉容器。
【請求項４】
略Ｌ字型に形成された４つの締結部材を備え、
前記４つの締結部材は、前記容器本体とその上に載置された前記蓋部材の四隅に沿うようにそれぞれ配置され、
前記４つの締結部材のうちの、互いに隣り合う前記締結部材の端部同士を締結することにより、前記容器本体の開口部と前記蓋部材の周縁部が互いに上下方向に密着するように構成された
ことを特徴とする請求項１から３のいずれかに記載の角型密閉容器。
【考案の詳細な説明】
【技術分野】
【０００１】
本考案は、その内部に形成される密閉空間に、例えば、低レベル放射性廃棄物のような危険物を収納する角型密閉容器に関するものである。
【背景技術】
【０００２】
低レベル放射性廃棄物のような危険物を内部に収納して、一定期間保管するための保管容器としては、そのような危険物を保管容器の内部の密閉空間に収納すると共に、複数の保管容器を縦方向に積み重ねて設置することにより、保管容器の設置スペースを増やすことなく、保管量を増やすことができる角型密閉容器が用いられていた（特許文献１参照）。
【０００３】
図１０ないし図１５は、上記特許文献１に係る従来の角型密閉容器２について説明するために、参照する図である。
【０００４】
従来の角型密閉容器２は、図１０ないし図１２に示すように、その上端部が開口した箱状の容器本体４と、この容器本体４の上端部に載置してその開口部を閉塞する蓋部材６と、蓋部材６と容器本体４の上端部の周縁部を上下方向から挟み込んで、これらの部材を一体的に締結する４つの締結部材８から構成されていた。
【０００５】
従来の角型密閉容器２の容器本体４は、図１０及び図１３に示すように、上端部が開口した角型箱形状に形成されていた。
【０００６】
容器本体４の底面４ａには、図１０及び図１２に示すように、角型密閉容器２の脚部として、所定の長さを有し、長さ方向に対して垂直な断面が長方形に形成された複数の桁材１０，１２が縦横に配置され、溶接等により容器本体４の底面４ａに一体的に固定されていた。
【０００７】
桁材１０は、図１２に示すように、その長さ部分が、容器本体４の底面４ａの図中上下方向に伸びるように４つ配置され、この４つの桁材１０が、底面４ａの図中左右方向に所定の間隔をおいて、互いに平行に並んで配置されていた。
【０００８】
また、桁材１２は、図１２に示すように、容器本体４の底面４ａに設けられた４つの桁材１０のうちの、図中右から２つ目と３つ目の桁材１０の間に３つ配置され、その長さ部分が容器本体４の底面４ａの図中左右方向に伸びるように配置されると共に、底面４ａの図中上下方向に所定の間隔をおいて、互いに平行に並んで配置されていた。
【０００９】
また、図１２に示すように、容器本体４の底面４ａに設けられた４つの桁材１０のうちの、図中右から１つ目と２つ目の桁材１０の間、及び３つ目と４つ目の桁材１０の間には、これらの隣り合う一対の桁材１０同士の間に、４つの補強リブ１４が配置され、補強リブ１４は溶接等により容器本体４の底面４ａや隣り合う桁材１０に一体的に固定されていた。
【００１０】
これらの補強リブ１４は、図１０に示すように、桁材１０に比べてその高さ方向（図中上下方向）の寸法が小さく形成されているため、補強リブ１４とこの下方の地面との間には大きな隙間が形成されていた。
【００１１】
従来の角型密閉容器２の蓋部材６は、図１１及び図１３に示すように、その平面形状が容器本体４の開口部の形状と略同一に形成されていた。
【００１２】
そして、図１１に示すように、蓋部材６の上面の図中左右方向の略中央の位置に、２つの取っ手１６，１６が、蓋部材６の上面の図中上下方向の略中央位置を通る中心線に対して対称となるように、所定の間隔をおいて配置され、溶接等により蓋部材６に一体的に固定されていた。
【００１３】
このような蓋部材６が容器本体４の上に載置されることにより、蓋部材６が容器本体４の開口部を閉塞するように構成されていた。
【００１４】
そして、図１０及び図１１に示すように、長さ中央部で直角に折れ曲った４つの締結部材８が、容器本体４とその上に載置された蓋部材６の四隅部のそれぞれに、容器本体４の上端部と蓋部材６の周縁部を上下から挟み込むように配置され、ボルト１８とナット１９を用いてこれらの締結部材８を長さ方向に締め付けることにより、角型密閉容器２の内部に密閉空間が形成されるようになっていた。
【００１５】
このような従来の角型密閉容器２は、その底面４ａに設けられた桁材１０の間の補強リブ１４とその下方の地面との間の隙間にフォークリフトのフォークを差込むことができるように構成されているため、フォークリフトを用いて角型密閉容器２を持ち上げて移動することができ、図１４に示すように、角型密閉容器２を他の同形の角型密閉容器３の上に載置することができるようになっていた。
【００１６】
そして、図１４及び図１５に示すように、角型密閉容器２を角型密閉容器３の上に載置した状態においては、角型密閉容器３の取っ手１６が、角型密閉容器２の底面４ａや、そこに設けられた桁材１０，１２と接触しないように構成されていた。
【先行技術文献】
【特許文献】
【００１７】
【特許文献１】特開２０１２−２３６６２７号公報
【考案の概要】
【考案が解決しようとする課題】
【００１８】
しかしながら、上述したような従来の角型密閉容器２は、内部に危険物等を収納した状態の重量の大きい角型密閉容器２を積み重ねるため、上に積み重ねる角型密閉容器２の水平方向の位置を下の角型密閉容器２と正確に合わせる必要があり、その位置決め作業に時間がかかってしまうという問題点があった。
【００１９】
また、従来の角型密閉容器２は、積み重ねた状態の角型密閉容器２に対して、地震等による水平方向の変位が作用した場合に、上に載置した角型密閉容器２が水平方向に移動して、その水平方向の位置が下の角型密閉容器２とずれてしまうという問題点があった。
【００２０】
上側の角型密閉容器２が下側の角型密閉容器２と水平方向にずれた状態を長期間放置することは、上側に積み重ねた角型密閉容器２の落下や、それに伴う危険物等の漏えいを招くおそれがあるため、フォークリフト等を用いて角型密閉容器２の位置を直さなければならず、多数の角型密閉容器２が互いに隣接して設置されているような場合には、その位置を直す作業は膨大なものとなり、作業時間やコストが増大するという問題点があった。
【００２１】
そこで本考案は、上記問題点に鑑みて、上下に容器を積み重ねる場合に上下の容器の互いの水平方向の正しい位置決めを容易に行うことができ、上下に積み重ねた容器が地震等により水平方向に互いにずれようとしても、必ず元の正しい位置に戻ることができる角型密閉容器を提供することを課題とするものである。
【課題を解決するための手段】
【００２２】
本考案による角型密閉容器は、上記課題を解決するために、
上端部に開口部が形成された角型箱形状の容器本体と、
前記容器本体の前記開口部の上に配置されて前記開口部を閉塞する蓋部材と
を備えた角型密閉容器において、
前記容器本体の底面の下に、
前記底面に沿って第１方向に伸びると共に、互いに平行に配置された複数の第１桁材と、
前記底面に沿って複数の前記第１桁材の間に、前記第１方向と交差する第２方向に伸びると共に、互いに平行に配置された複数の第２桁材とを設け、
前記蓋部材の上面に、前記上面に沿って前記第２方向に伸びる持手部と、前記持手部の両端部から前記蓋部材の上面に向けて伸びる脚部とを有する取手部材が取付けられ、
前記角型密閉容器の上側に同一の別の角型密閉容器を積み重ねて、前記上側の角型密閉容器の水平方向の位置と、下側の前記角型密閉容器の水平方向の位置が揃っている場合は、
前記取手部材は、前記上側に積み重ねた角型密閉容器の容器本体の底面の下に設けられた、複数の前記第１桁材の間に配置され、かつ、複数の前記第２桁材の間に配置されると共に、
前記取手部材の前記脚部の前記蓋部材の上面に取付けられる位置が、前記上側に積み重ねた前記角型密閉容器の容器本体の底面に設けられた前記第１桁材の近傍の位置に配置され、
前記取手部材の持手部は、前記上側に積み重ねた角型密閉容器の容器本体の底面に設けられた前記第２桁材の近傍の位置に配置された
ことを特徴とするものである。
【００２３】
また、本考案による角型密閉容器は、
前記角型密閉容器の上側に同一の別の角型密閉容器を積み重ねる途中において、前記上側の角型密閉容器の水平方向の位置と、下側の前記角型密閉容器の水平方向の位置がずれている場合は、
前記取手部材は、前記上側に積み重ねた角型密閉容器の容器本体の底面の下に設けられた、複数の前記第１桁材の間に配置され、かつ、複数の前記第２桁材の間に配置されていると同時に、
前記取手部材の前記脚部と前記第１桁材が、いずれか一方に形成された傾斜部と、他方の非傾斜部が互いに接触して摺動することにより、又は／及び、
前記取手部材の前記持手部と前記第２桁材が、いずれか一方に形成された傾斜部と、他方の非傾斜部が互いに接触して摺動することにより、
前記角型密閉容器の前記積み重ね完了時に、前記上側の角型密閉容器の水平方向の位置と、下側の前記角型密閉容器の水平方向の位置が揃った状態に戻って、
前記取手部材の前記脚部の前記蓋部材の上面に取付けられた位置が、前記上側に積み重ねた前記角型密閉容器の容器本体の底面に設けられた前記第１桁材の近傍の位置に配置され、
前記取手部材の持手部は、前記上側に積み重ねた角型密閉容器の容器本体の底面に設けられた前記第２桁材の近傍の位置に配置される
ことを特徴とするものである。
【００２４】
また、本考案による角型密閉容器は、
前記第１桁材は、所定の長さを有し、その長さ方向に対して垂直な断面が長方形に形成され、
前記第２桁材は、所定の長さを有し、その長さ方向に対して垂直な断面が略９０度に折り曲げたような形状に形成され、
前記取手部材の両端部の前記脚部は、前記第２方向においては前記蓋部材の上面に対してそれぞれが所定の角度ずつ傾斜した略ハの字形状に形成されると共に、前記第１方向においては前記蓋部材の上面に対して傾斜しないで垂直に立設された
ことを特徴とするものである。
【００２５】
また、本考案による角型密閉容器は、
略Ｌ字型に形成された４つの締結部材を備え、
前記４つの締結部材は、前記容器本体とその上に載置された前記蓋部材の四隅に沿うようにそれぞれ配置され、
前記４つの締結部材のうちの、互いに隣り合う前記締結部材の端部同士を締結することにより、前記容器本体の開口部と前記蓋部材の周縁部が互いに上下方向に密着するように構成された
ことを特徴とするものである。
【考案の効果】
【００２６】
このような本考案による角型密閉容器によれば、
上端部に開口部が形成された角型箱形状の容器本体と、
前記容器本体の前記開口部の上に配置されて前記開口部を閉塞する蓋部材と
を備えた角型密閉容器において、
前記容器本体の底面の下に、
前記底面に沿って第１方向に伸びると共に、互いに平行に配置された複数の第１桁材と、
前記底面に沿って複数の前記第１桁材の間に、前記第１方向と交差する第２方向に伸びると共に、互いに平行に配置された複数の第２桁材とを設け、
前記蓋部材の上面に、前記上面に沿って前記第２方向に伸びる持手部と、前記持手部の両端部から前記蓋部材の上面に向けて伸びる脚部とを有する取手部材が取付けられ、
前記角型密閉容器の上側に同一の別の角型密閉容器を積み重ねて、前記上側の角型密閉容器の水平方向の位置と、下側の前記角型密閉容器の水平方向の位置が揃っている場合は、
前記取手部材は、前記上側に積み重ねた角型密閉容器の容器本体の底面の下に設けられた、複数の前記第１桁材の間に配置され、かつ、複数の前記第２桁材の間に配置されると共に、
前記取手部材の前記脚部の前記蓋部材の上面に取付けられる位置が、前記上側に積み重ねた前記角型密閉容器の容器本体の底面に設けられた前記第１桁材の近傍の位置に配置され、
前記取手部材の持手部は、前記上側に積み重ねた角型密閉容器の容器本体の底面に設けられた前記第２桁材の近傍の位置に配置されたことにより、
上下に容器を積み重ねる場合に上下の容器の互いの水平方向の正しい位置決めを容易に行うことができ、上下に積み重ねた容器が地震等により水平方向に互いにずれようとしても、必ず元の正しい位置に戻ることができる。
【図面の簡単な説明】
【００２７】
【図１】本考案の一実施の形態に係る角型密閉容器２２の正面図である。
【図２】図１に示す角型密閉容器２２の平面図である。
【図３】角型密閉容器２２の底面図である。
【図４】角型密閉容器２２を示す図であり、図１のＡ−Ａ線矢視断面図である。
【図５】角型密閉容器２２の締結部材２８を示す図であり、図５（ａ）は締結部材２８の平面図であり、図５（ｂ）は締結部材２８の側面図である。
【図６】角型密閉容器２２を示す図であり、図４の締結金具２９周辺を拡大した拡大断面図である。
【図７】角型密閉容器２２を同形の角型密閉容器２３の上に積み重ねた状態を示す概略斜視図である。
【図８】角型密閉容器２２，２３を積み重ねた状態における、桁材３０と取っ手３６の作用を説明するための図であり、図７のＢ−Ｂ線矢視断面図の取っ手３６周辺を拡大した拡大断面図であり、図８（ａ）は角型密閉容器２２が角型密閉容器２３の上の水平方向の正しい位置に積み重ねられた状態、図８（ｂ）は角型密閉容器２２が角型密閉容器２３に対して水平方向にずれた位置に積み重ねられようとした状態を示す図である。
【図９】角型密閉容器２２，２３を積み重ねた状態における、傾斜桁材３２と取っ手３６の作用を説明するための図であり、図７のＣ−Ｃ線矢視断面図の取っ手３６周辺を拡大した拡大断面図であり、図９（ａ）は角型密閉容器２２が角型密閉容器２３の上の水平方向の正しい位置に積み重ねられた状態、図９（ｂ）は角型密閉容器２２が角型密閉容器２３に対して水平方向にずれた位置に積み重ねられようとした状態を示す図である。
【図１０】従来の角型密閉容器２の正面図である。
【図１１】図１０に示す角型密閉容器２の平面図である。
【図１２】角型密閉容器２の底面図である。
【図１３】角型密閉容器２を示す図であり、図１０のＤ−Ｄ線矢視断面図である。
【図１４】角型密閉容器２を同形の角型密閉容器３の上に積み重ねた状態を示す概略正面図である。
【図１５】角型密閉容器２を同形の角型密閉容器３の上に積み重ねた状態を示す図であり、図１４のＥ−Ｅ線矢視断面図である。
【考案を実施するための形態】
【００２８】
以下、本考案による角型密閉容器２２を実施するための形態について、図面に基づいて具体的に説明する。
【００２９】
図１ないし図９は、本考案の一実施の形態に係る角型密閉容器２２について説明するために、参照する図である。なお、図１０ないし図１５に示した従来の角型密閉容器２と同様の部分には、一部を除き同じ符号を付して説明するものとする。
【００３０】
角型密閉容器２２は、図１ないし図３に示すように、その上端部が開口した箱状の容器本体２４と、この容器本体２４の上端部に載置してその開口部を閉塞する蓋部材２６と、蓋部材２６と容器本体２４の上端部の周縁部を上下方向から挟み込んで、これらの部材を一体的に締結する４つの締結部材２８から構成されている。
【００３１】
角型密閉容器２２の容器本体２４は、図１及び図４に示すように、上端部が開口した角型箱形状に形成されている。
【００３２】
容器本体２４の上端部が開口した開口部は、図６に示すように、容器本体２４の側部の上端部をその断面が外側に向かって丸まるように曲げて、その内側に容器本体２４の開口部の補強のための芯金２４ｄを巻き込んだ上端縁部２４ａが形成されている。
【００３３】
また、図１に示すように、容器本体２４の側部の図中上下方向の上方寄りの位置には、長さ方向に対して垂直な断面が正方形に形成された角型パイプ形状の補強部材２４ｃ（図４及び図６参照）が、その長さ部分を容器本体２４の外周に沿って水平方向に巻付けるように配置され、溶接等により容器本体２４に一体的に固定されている。
【００３４】
容器本体２４の底面２４ｂには、図１及び図３に示すように、角型密閉容器２２の脚部として、所定の長さを有し、長さ方向に対して垂直な断面が長方形に形成された４つの桁材３０（第１桁材）が配置され、溶接等により容器本体２４の底面２４ｂに一体的に固定されている。
【００３５】
桁材３０は、図３に示すように、その長さ部分が、容器本体２４の底面２４ｂの図中上下方向（第１方向）に伸びるように４つ配置され、この４つの桁材３０が、底面２４ｂの図中左右方向に所定の間隔をおいて、互いに平行に並んで配置されている。
【００３６】
また、図３に示すように、容器本体２４の底面２４ｂに設けられた４つの桁材３０のうちの、図中右から１つ目と２つ目の桁材３０の間、及び３つ目と４つ目の桁材３０の間には、これらの隣り合う一対の桁材３０の間に、４つの補強リブ３４が配置され、補強リブ３４は溶接等により容器本体２４の底面２４ｂや隣り合う桁材３０に一体的に固定されている。
【００３７】
これらの補強リブ３４は、図１に示すように、桁材３０に比べてその高さ方向（図中上下方向）の寸法が小さく形成されているため、補強リブ３４とその下方の地面との間には、大きな隙間が形成されている。
【００３８】
そして、図３に示すように、容器本体２４の底面２４ｂに設けられた４つの桁材３０のうちの、図中右から２つ目と３つ目の桁材３０の間には、これらの隣り合う一対の桁材３０同士の間に、３つの傾斜桁材３２（第２桁材）が配置され、傾斜桁材３２は溶接等により容器本体２４の底面２４ｂや隣り合う桁材３０に一体的に固定されている。
【００３９】
傾斜桁材３２は、図３及び図４に示すように、所定の長さを有する長方形の板状の部材を、その長さ方向と直角な幅方向の中央位置で略９０度に折り曲げたような形状に形成されている。
【００４０】
すなわち、傾斜桁材３２は、容器本体２４の底面２４ｂに対してそれぞれが略４５度ずつ傾斜する２つの傾斜面３２ａ，３２ａを有し、図３中上側の傾斜面３２ａの図中上側の長さ方向（図中左右方向）の側辺部は容器本体２４の底面２４ｂに当接し、図３中下側の傾斜面３２ａは上側の傾斜面３２ａと頂点線３２ｂを挟んで互いに略９０度に折れ曲って一体的に構成され、この図中下側の傾斜面３２ａの図中下側の長さ方向の側辺部も容器本体２４の底面２４ｂに当接し、この傾斜桁材３２の上下の傾斜面３２ａ，３２ａの長さ方向の側辺部は溶接等により容器本体２４の底面２４ｂに一体的に固定されている。
【００４１】
そして、図３に示すように、傾斜桁材３２は、その頂点線３２ｂが容器本体２４の底面２４ｂの図中左右方向（第２方向）に伸びて、それぞれの傾斜桁材３２が、底面２４ｂの図中上下方向に所定の間隔をおいて、互いに平行に並んで配置されている。
【００４２】
角型密閉容器２２の蓋部材２６は、図２及び図４に示すように、その平面形状が容器本体２４の開口部の形状と略同一に形成されている。
【００４３】
そして、図２に示すように、蓋部材２６の上面２６ａの図中左右方向の略中央の位置に、２つの取っ手３６，３６（取手部材）が、蓋部材２６の上面２６ａの図中上下方向の略中央位置を通る中心線に対して対称となるように所定の間隔をおいて配置されている。
【００４４】
取っ手３６は、図１，図２及び図４に示すように、所定の長さを有する丸棒状の部材を、その長さ方向の途中の複数の位置で曲げて形成されており、蓋部材２６の上面２６ａの図２中左右方向（第２方向）に伸びる持手部３６ａと、持手部３６ａの両端部のそれぞれから斜め下方に伸びる２つの脚部３６ｂ，３６ｂと、２つの脚部３６ｂ，３６ｂのそれぞれの下端部から蓋部材２６の上面２６ａの図２中上下方向に伸びる２つの接合部３６ｃ，３６ｃから構成されている。
【００４５】
２つの脚部３６ｂ，３６ｂは、図１に示すように、蓋部材２６の上面２６ａ（図２参照）の図１中左右方向に対してそれぞれが略６０度ずつ傾斜した略ハの字形状に形成されると共に、図４に示すように、蓋部材２６の上面２６ａの図４中左右方向に対しては傾斜せずに形成されている。
【００４６】
そして、図２及び図４に示すように、２つの脚部３６ｂ，３６ｂのそれぞれの下端部から伸びる２つの接合部３６ｃ，３６ｃは蓋部材の２６の上面２６ａと接触し、溶接等により蓋部材２６に一体的に固定されている。
【００４７】
また、図６に示すように、蓋部材２６の周縁部２６ｂには、弾性材料により形成されたシール材２６ｃがその周縁部２６ｂの裏面側に沿うように設けられている。
【００４８】
このような蓋部材２６が容器本体２４の上に載置されると、図６に示すように、蓋部材２６の周縁部２６ｂの裏面側に沿って設けられたシール材２６ｃが、容器本体２４の上端縁部２４ａの上側に沿って密着し、これにより蓋部材２６が容器本体２４の開口部を閉塞するように構成されている。
【００４９】
角型密閉容器２２の締結部材２８は、図５（ａ）に示すように、水平方向（図中上下左右方向）に所定の長さを有する２つの直線部２８ａの、その長さ方向の一方の端部同士が、２つの直線部２８ａのお互いの角度が略直角となるように結合されて、全体として略Ｌ字型に形成されている。
【００５０】
締結部材２８の直線部２８ａは、図５（ｂ）及び図６に示すように、その長さ方向に対して垂直な断面形状が、楔部２８ｃから斜め上方に伸びる上側押え部２８ｄと、楔部２８ｃから斜め下方に向かって伸びる下側押え部２８ｅから構成される鋏状に形成され、上側押え部２８ｄは、その斜め上方に伸びた先端部からさらに水平方向に伸びるように曲げられて形成されている。
【００５１】
また、図５（ａ）に示すように、締結部材２８の２つの直線部２８ａ，２８ａが互いに接合される部分には曲線部２８ｂが形成されており、この曲線部２８ｂは２つの直線部２８ａのそれぞれの一方の端部間に連続して形成され、図２に示すように、容器本体２４と蓋部材２６の四隅部に沿うような形状に形成されている。
【００５２】
また、図５（ａ）に示すように、締結部材２８の両端部、すなわち２つの直線部２８ａが互いに結合される一方の端部と反対側の他方の端部には、締結金具２９がそれぞれ設けられ、これらの締結金具２９は溶接等により締結部材２８に一体的に固定されている。
【００５３】
締結金具２９は、図５（ｂ）及び図６に示すように、所定の長さを有する板状の部材の、その長さ方向の締結部材２８に固定された一方の端部と反対側の他方の端部は、その断面が円形の円筒形状に丸めて形成されており、この円筒形状部分の内側にはボルト孔２９ａが形成されている。
【００５４】
そして、締結金具２９の長さ方向の円筒形状部分の側の他方の端部と反対側の一方の端部は、図５（ａ）に示すように、締結部材２８の両端部の上側押え部２８ｄの外側に固定され、締結金具２９のボルト孔２９ａの軸線が締結部材２８の直線部２８ａの長さ方向と平行に構成されている。
【００５５】
このような締結部材２８が、図１及び図２に示すように、容器本体２４とその上に載置された蓋部材２６の四隅部のそれぞれに沿って設けられ、図６に示すように、締結部材２８の上側押え部２８ｄと下側押え部２８ｅとが、容器本体２４の上端縁部２４ａと蓋部材２６の周縁部２６ｂを挟み込むよう配置されている。
【００５６】
そして、図２に示すように、互いに隣接する２つの締結部材２８の端部に配置された、互いに隣接する一対の締結金具２９のボルト孔２９ａに、ボルト３８が連続して挿通され、ボルト３８の頭部と反対側の端部のネジ部にナット３９が締結されている。
【００５７】
このことにより、４つの締結部材２８は、お互いに水平方向外側から内側に引っ張られるようにボルト３８とナット３９により締め付けられるため、図６に示すように、締結部材２８の上側押え部２８ｄと下側押え部２８ｅが、蓋部材２６の周縁部２６ｂと容器本体２４の上端縁部２４ａにそれぞれ接触した状態となり、その状態からボルト３８とナット３９により締結部材２８を締め付けることにより、蓋部材２６の周縁部２６ｂと容器本体２４の上端縁部２４ａが、シール材２６ｃを弾性変形させながら、互いに上下方向に近付くように接近するため、角型密閉容器２２の開口部が確実に閉塞し、その内部に密閉空間が形成されるようになっている。
【００５８】
このような角型密閉容器２２は、その底面２４ｂに設けられたそれぞれ一対の桁材３０の間の補強リブ３４とその下方の地面との間の隙間にフォークリフトのフォークを差込むことができるように構成されているため、フォークリフトを用いて角型密閉容器２２を持ち上げて移動することができ、図７に示すように、角型密閉容器２２を、他の同形の角型密閉容器２３の上に積み重ねることができるようになっている。
【００５９】
そして、図８（ａ）に示すように、角型密閉容器２２が角型密閉容器２３の上の図中左右方向（水平方向）の正しい位置に積み重ねられた状態においては、角型密閉容器２３の取っ手３６が、角型密閉容器２２の底面２４ｂに設けられた４つの桁材３０のうちの中央の２つの桁材３０の間に配置されると共に、取っ手３６のそれぞれの脚部３６ｂの下端部が、桁材３０の近傍の位置に配置されるように構成されている。
【００６０】
このため、角型密閉容器２２を他の同形の角型密閉容器２３の上に積み重ねる途中において、図８（ｂ）に示すように、角型密閉容器２２が角型密閉容器２３に対して図中左右方向にずれた位置に積み重ねられようとしても、取っ手３６の傾斜した脚部３６ｂが桁材３０の角部に接触し、桁材３０が脚部３６ｂの傾斜に沿って移動することにより、角型密閉容器２２を角型密閉容器２３の上の図中左右方向の正しい位置に導くことができる。
【００６１】
また、図９（ａ）に示すように、角型密閉容器２２が角型密閉容器２３の上の図中左右方向（水平方向）の正しい位置に積み重ねられた状態においては、角型密閉容器２３の取っ手３６が、角型密閉容器２２の底面２４ｂに設けられた外寄りの一対の傾斜桁材３２の間に配置されると共に、取っ手３６の持手部３６ａが傾斜桁材３２の傾斜面３２ａの近傍の位置に配置されるように構成されている。
【００６２】
このため、角型密閉容器２２を他の同形の角型密閉容器２３の上に積み重ねる途中において、図９（ｂ）に示すように、角型密閉容器２２が角型密閉容器２３に対して図中左右方向にずれた位置に積み重ねられようとしても、一対の取っ手３６の一方の持手部３６ａが傾斜桁材３２の内側の傾斜面３２ａに接触し、傾斜桁材３２の傾斜面３２ａが取っ手３６の持手部３６ａに接触しながら移動することにより、角型密閉容器２２を角型密閉容器２３の上の図中左右方向の正しい位置に導くことができる。
【００６３】
このように、本実施の形態に係る角型密閉容器２２においては、その取っ手３６と桁材３０及び傾斜桁材３２の構成により、角型密閉容器２２を他の角型密閉容器２３の上に積み重ねる場合の、その下の角型密閉容器２３に対する位置決めを容易に行うことができる。
【００６４】
そして、図７に示すような、積み重ねた状態の角型密閉容器２２，２３に対して、地震等により水平方向の力が加えられ、角型密閉容器２２が角型密閉容器２３に対して水平方向にずれようとする状態（図８（ｂ）及び図９（ｂ）参照）になったとしても、角型密閉容器２２の桁材３０及び傾斜桁材３２と角型密容器２３の取っ手３６が接触して、角型密閉容器２２が必ず角型密閉容器２３に対して水平方向の正しい位置に戻るように構成されている。
【００６５】
したがって、このような本考案の一実施の形態に係る角型密閉容器２２によれば、上下に容器を積み重ねる場合に上下の容器の互いの水平方向の正しい位置決めを容易に行うことができ、上下に積み重ねた容器が地震等により水平方向に互いにずれようとしても、必ず元の正しい位置に戻ることができる。
【００６６】
なお、本考案は、前記実施の形態のみに限定されるものではなく、本考案と同一の目的を達成することができるものであれば、種々の変更が可能である。
【００６７】
例えば、本実施の形態に係る角型密閉容器２２においては、容器本体２４の底面２４ｂに、４つの桁材３０が設けられていたが、設ける桁材３０の数は、３つ以下であってもよく、５つ以上であってもよい。
【００６８】
また、本実施の形態に係る角型密閉容器２２においては、容器本体２４の底面２４ｂに、３つの傾斜桁材３２が設けられていたが、設ける傾斜桁材３２の数は、２つ以下であってもよく、４つ以上であってもよい。
【００６９】
また、本実施の形態に係る角型密閉容器２２においては、取っ手３６の脚部３６ｂは、蓋部材２６の上面２６ａに対して略６０度傾斜して設けられているが、脚部３６ｂの傾斜は、５９度以下であってもよく、また６１度以上であってもよい。また、桁材３０が取っ手３６に沿って移動すればよいので、脚部３６ｂを略垂直に形成し、それに接触する桁材３０の側面を傾斜して形成してもよい。
【００７０】
また、本実施の形態に係る角型密閉容器２２においては、傾斜桁材３２の傾斜面３２ａは、容器本体２４の底面２４ｂに対して略４５度傾斜して設けられているが、傾斜面３２ａの傾斜は、４４度以下であってもよく、また４６度以上であってもよい。また、傾斜桁材３２が取っ手３６に沿って移動すればよいので、傾斜面３２ａを略垂直に形成し、それに接触する取っ手３６を傾斜して設けてもよい。
【００７１】
また、本実施の形態に係る角型密閉容器２２においては、締結部材２８を締め付けることにより、角型密閉容器２２の内部に密閉空間を形成していたが、他の方法で密閉するものであってもよい。
【符号の説明】
【００７２】
２  角型密閉容器
３  角型密閉容器
４  容器本体
４ａ  底面
６  蓋部材
８  締結部材
１０  桁材
１２  桁材
１４  補強リブ
１６  取っ手
１８  ボルト
１９  ナット
２２  角型密閉容器
２３  角型密閉容器
２４  容器本体
２４ａ  上端縁部
２４ｂ  底面
２４ｃ  補強部材
２４ｄ  芯金
２６  蓋部材
２６ａ  上面
２６ｂ  周縁部
２６ｃ  シール材
２８  締結部材
２８ａ  直線部
２８ｂ  曲線部
２８ｃ  楔部
２８ｄ  上側押え部
２８ｅ  下側押え部
２９  締結金具
２９ａ  ボルト孔
３０  桁材
３２  傾斜桁材
３２ａ  傾斜面
３２ｂ  頂点線
３４  補強リブ
３６  取っ手
３６ａ  持手部
３６ｂ  脚部
３６ｃ  接合部
３８  ボルト
３９  ナット
【図１】
0003214380.tif 000003
【図２】
0003214380.tif 000004
【図３】
0003214380.tif 000005
【図４】
0003214380.tif 000006
【図５】
0003214380.tif 000007
【図６】
0003214380.tif 000008
【図７】
0003214380.tif 000009
【図８】
0003214380.tif 000010
【図９】
0003214380.tif 000011
【図１０】
0003214380.tif 000012
【図１１】
0003214380.tif 000013
【図１２】
0003214380.tif 000014
【図１３】
0003214380.tif 000015
【図１４】
0003214380.tif 000016
【図１５】
0003214380.tif 000017